(57)【要約】【課題】  充分な炭酸ガスのマイクロバブルを得ることができることはいうまでもなく、小型、計量な設備で設置面積も少なくてすみ、取り扱いも安全で保守管理も容易であるばかりか維持費も廉価で個人用だけでなく業務用にも適した炭酸ガスのマイクロバブル発生装置を提供する。【解決手段】  マイクロバブル発生装置２のガス導入路に炭酸ガス発生装置３の送出口を連結した炭酸ガスのマイクロバブル発生装置１であって、炭酸ガス発生装置３が炭酸塩と酸とを利用した薬剤を用いる。【選択図】  図１
0003141541.tif 000002
【実用新案登録請求の範囲】
【請求項１】
マイクロバブル発生装置のガス導入路に炭酸ガス発生装置の炭酸ガス送出路を連結した炭酸ガスのマイクロバブル発生装置であって、前記炭酸ガス発生装置が炭酸塩と酸とを利用した薬剤を用いることを特徴とする炭酸ガスのマイクロバブル発生装置。
【請求項２】
前記炭酸ガス発生装置が、酸溶液を収容するとともに内部を所定の圧力にするための加圧装置が第１送出管により連結された第１タンクと、前記第１タンクに収容した酸溶液が第２送出管を介して送入されて炭酸ガスを発生させる炭酸塩溶液を収容する第２タンクとからなり、前記第２タンクの頂部に備えた炭酸ガスの送出口が第３送出管より前記マイクロバブル発生装置の空気導入路に連結されていることを特徴とする炭酸ガスのマイクロバブル発生装置。
【請求項３】
前記第１送出管，第２送出管，第３送出管には、別途に配置した制御装置により開閉制御される第１開閉弁、第２開閉弁、第３開閉弁がそれぞれ配設されていることを特徴とする請求項２記載の炭酸ガスのマイクロバブル発生装置。
【請求項４】
前記炭酸ガス発生装置に用いる前記酸溶液がクエン酸溶液であり、前記炭酸塩溶液が重炭酸ナトリウム溶液であることを特徴とする請求項１，２または３記載の炭酸ガスのマイクロバブル発生装置。
【請求項５】
前記第１タンクに収容されたクエン酸溶液または第２タンクに収容された炭酸塩溶液の少なくとも一方が飽和溶液または過飽和溶液であることを特徴とする請求項１，２，３または４記載の炭酸ガスのマイクロバブル発生装置。
【考案の詳細な説明】
【技術分野】
【０００１】
本考案は、炭酸ガスのマイクロバブル発生装置に関するものであり、例えば浴槽水、各種の洗浄水に炭酸ガスのマイクロバブルを供給する装置に関するものである。
【背景技術】
【０００２】
従来、所定量の炭酸ガスのマイクロバブルが溶解する浴槽水（炭酸泉）は人体の抹消血行をよくして疲労回復や美容などの目的で入浴やシャワーなどに用いられており、特に、気泡径が微細でナノバブルと呼ばれる気泡が殺菌、浄化作用等を有することが知られている。
【０００３】
そして、炭酸泉を得るための簡易な手段として例えば特開２００５−３１４２３３号公報に提示されているように炭酸塩と酸とを利用した薬剤を用いる方法が知られているが、発生するガスの気泡径が浴槽水への溶解量が少なく（濃度か３００〔ｍｇ／Ｌ〕程度で炭酸ガスのマイクロバブルとしての効果を発揮するには充分でなく、殊に、反応速度が速いことから薬剤を浴槽水に投入してから炭酸ガスの発生が短時間で終わってしまうという問題点もある。
【０００４】
また、特公平８−４７３１号公報、特開２００1 −２９３３４２号公報、特開２００４ −１３６２７２号公報等に中空糸膜を用いて炭酸ガスのマイクロバブルを発生させる装置が提示されているが、大型の装置や騒音を発生するという問題がある。
【０００５】
一方、水中にマイクロバブルを生じさせる手段として導入した空気を微細な噴射口から高圧で噴射させる各種のマイクロバブル発生装置が知られており、このマイクロバブル発生装置に炭酸ガスボンベを連結して炭酸ガスのマイクロバブルを発生させる装置が特開２００６−３２０６７５号公報に提示されている。
【０００６】
しかしながら、特開２００６−３２０６７５号公報に提示されているような前記炭酸ガスボンベを用いた炭酸ガスのマイクロバブル発生装置は、高圧で高価な炭酸ガスボンベを使用することから装置全体が耐高圧性に優れたものでなければならず特殊な減圧弁も必要で製造価格が高くなり保守等も困難になるとともに、吐出口が高圧となる等、安全性も問題となり、特に、炭酸ガスの消費量が大きいことから維持費用も嵩みボンベの交換作業も必要であり、特に、業務用に用いる場合には大型のボンベが必要で大きな設置面積を必要とする等の問題がある。尚、この点を考慮して特開２００６−３２０６７５号公報に提示されているものも小型の炭酸ガスカートリッジを用いて個人で使用する用途に限定したものである。
【特許文献１】特開２００５−３１４２３３号公報
【特許文献２】特公平８−４７３１号公報
【特許文献３】特開２００1 −２９３３４２号公報
【特許文献４】特開２００４ −１３６２７２号公報
【特許文献５】特開２００６−３２０６７５号公報
【考案の開示】
【考案が解決しようとする課題】
【０００７】
本考案は、上記のような問題点を解決するためになされたものであり、充分な炭酸ガスのマイクロバブルを得ることができることはいうまでもなく、小型、計量な設備で設置面積も少なくてすみ、取り扱いも安全で保守管理も容易であるばかりか維持費も廉価で個人用だけでなく業務用にも適した炭酸ガスのマイクロバブル発生装置を提供することを課題とするものである。
【課題を解決するための手段】
【０００８】
前記課題を解決するためになされた本考案は、マイクロバブル発生装置のガス導入路に炭酸ガス発生装置の送出口を連結した炭酸ガスのマイクロバブル発生装置であって、前記炭酸ガス発生装置が炭酸塩と酸とを利用した薬剤を用いることを特徴とする。
【０００９】
本考案は、炭酸ガス発生装置として取扱の容易な炭酸塩と酸とを利用した薬剤を用いること、更に、発生した炭酸ガスをマイクロバブル発生装置によりマイクロバブルにすることによりきわめて簡便に充分な炭酸ガスのマイクロバブルを簡単かつ安価に提供することができる。
【００１０】
また、本考案において、前記炭酸ガス発生装置が、酸溶液を収容するとともに内部を所定の圧力にするための加圧装置を備えた第１のタンクと、前記第１のタンクに開閉弁を介して連結されて前記第１タンクから送入される酸溶液と反応させて炭酸ガスを発生させる炭酸塩溶液を収容する第２のタンクとからなり、前記第２のタンクの頂部に備えた炭酸ガスの送出口が開閉弁を介して前記マイクロバブル発生装置の空気導入路に連結されているものである場合には、所望の時間に所望量の炭酸ガスのマイクロバブルを連続してかつ安全に供給することができる。
【００１１】
特に、前記炭酸ガス発生装置に用いる前記酸溶液がクエン酸溶液であり、前記炭酸塩溶液が重炭酸ナトリウム（重曹）溶液である場合には効率よく炭酸ガスを発生させることができるばかりか薬品としても安全であり、安心して使用することができる。
【００１２】
更に、第１タンクに収容されたクエン酸溶液または第２タンクに収容された炭酸塩溶液の少なくとも一方が飽和溶液または過飽和溶液である場合には、常に高濃度のクエン酸溶液と炭酸塩溶液とが反応して充分な炭酸ガスを発生させるでき、また、両溶液の濃度管理や保守が簡単である。
【考案の効果】
【００１３】
本考案によれば、充分な炭酸ガスのマイクロバブルを得ることができることはいうまでもなく、小型、計量な設備で設置面積も少なくてすみ、取り扱いも安全で保守管理も容易であるばかりか維持費も廉価で長期間の連続使用も可能であり個人用だけでなく業務用にも適したものである。
【考案を実施するための最良の形態】
【００１４】
以下に、図面を参照して本考案を実施するための最良の形態を説明する。
【００１５】
図１および図は２は本考案を浴槽Ｂに設置した場合の好ましい実施の形態を示すものであり、図１は全体の概略図、図２はその炭酸ガス発生装置について拡大した部分をそれぞれ示す。本実施の形態である炭酸ガスのマイクロバブル発生装置１は、主としてマイクロバブル発生装置２と炭酸ガス発生装置３とから構成される。
【００１６】
そして、マイクロバブル発生装置２は、浴槽Ｂに配置された吸水口４１と吐出口４２とを有する循環流水路４に上流側から下流側へと配置された循環ポンプ２１と、循環流水路４にガスを導入するためのガス導入弁２２と、導入されたガスを循環流水路４内を流れる循環水に混入させるための混合タンク２３と前記吐出口４２に備えたマイクロバブル噴出口２４とからなるものである。
【００１７】
一方、前記炭酸ガス発生装置３は、飽和或いは過飽和状態のクエン酸溶液８を収容する第１タンク３１と、重炭酸ナトリウム溶液９を収容する第２タンク３２とを有し、これらの第１タンク３１と第２タンク３２とは、第１タンク３１内のクエン酸溶液８を第２タンク３２へと送出して第２タンク３２内で重炭酸ナトリウム溶液９と接触させて炭酸ガスを発生させるための第２送出管５２により連結されており、第２タンク３２の頂部には前記第２タンク３２内で発生した炭酸ガスを前記マイクロバブル発生装置２の循環流水路４に設けた前記ガス導入弁２２に接続された炭酸ガスの送出口５４を有する第３送出管５３が配置されている。
【００１８】
また、前記第１タンク３１の頂部には第１のタンク３１へ適宜高圧のガスを圧入して前記第１のタンク３１内を加圧することで収容したクエン酸溶液８を前記第１送出管５１を介して第２タンク３２へと送出させるための例えば小型のガスボンベやエアーポンプなどからなる加圧装置６が第１送出管５１により接続・配置されている。
【００１９】
更に、前記第１送出管５１，第２送出管５２，第３送出管５３には、別途に配置した制御装置（図示せず）により開閉制御される第１開閉弁７１、第２開閉弁７２、第３開閉弁７３がそれぞれ配設されており、前記第２送出管５２には第２タンク３２から第１タンク３１への逆流を防止するための逆止弁７４が配置されている。
【００２０】
尚、本実施の形態に用いられる循環流水路４、第１送出管５１，第２送出管５２，第３送出管５３は比較的細い合成樹脂製の管材を用いることができ、例えば３〔Ｋｇ／ｃｍ2〕程度の耐圧力があればよい。
【００２１】
以上の構成を有する本実施の形態を使用するには、第１タンク３１にクエン酸の飽和または過飽和溶液を、第２タンク３２に重炭酸ナトリウムの飽和または過飽和溶液を収納しておく。尚、クエン酸溶液８及び重炭酸ナトリウム溶液９は溶解濃度が低いと両者の反応が短時間で終了してしまう心配があるので飽和或いは過飽和として溶解濃度を高く保つことにより連続して両者が反応して炭酸ガスの発生が途絶えないようにするためである。また、過飽和状態とは例えば重炭酸ナトリウムやクエン酸がタンクの底にスラリー状に沈積した状態をいう。
【００２２】
このとき、不使用時には、第１開閉弁７１、第２開閉弁７２、第３開閉弁７３の各開閉弁は閉じた状態に保たれる。そして、本実施の形態を使用するには、前記浴槽Ｂに所定量の浴槽水Ｂ１を貯留する。そして、炭酸ガスのマイクロバブルを前記浴槽水Ｂ１に噴出させるには、まず、第１開閉弁７１を開放して第１送出管５３に連結された加圧装置６を駆動させて加圧ガスを第１送出管５１から第１タンク３１内に送出して第１タンク３１内を所定の圧力に加圧する。そして、前記第２送出管５２に配置した開閉弁７２を開放して前記第１タンク３１内に収容したクエン酸溶液８の所定量を第２タンク３２内の頂部から送出する。尚、このとき、第２送出管５２には逆止弁５４が配置されていることから第２送出管５２から第１タンク３１へクエン酸溶液８が逆流することがないとともに、前記第１タンク３１内の圧力低下がなく連続して第１タンク３１からクエン酸溶液８を第２タンク３２へ送出することができる。
【００２３】
尚、このとき、第２タンク３２とマイクロバブル発生装置２とが第３送出管５３により連結されており、第３開閉弁を開放するともに連結管マイクロバブル発生装置２を駆動させて循環路４を開放させておく。
【００２４】
そして、前記第２タンク３２の頂部からに挿入されたクエン酸溶液８が第２タンク３２内の重炭酸ナトリウム溶液９と反応して炭酸ガスが発生し、発生した炭酸ガスが第３送出管５３の先端の炭酸ガスの送出口５４から前記マイクロバブル発生装置２の循環路４に設置されたガス導入弁２２を介して循環路４を流れる浴槽水Ｂ１に混人させ、更に混合タンク２３において混合させて循環路４の吐出口４２に備えたマイクロバブル噴出口２４から浴槽Ｂ中の浴槽水Ｂ１に噴出させる。
【００２５】
尚、前記加圧装置６、各第１，第２，第３開閉弁７１，７２，７３、マイクロバブル発生装置２は別途に配置した制御装置により自動的に制御することが可能であり、簡単な操作で炭酸ガスのマイクロバブルを発生させることができる。
【００２６】
本実施の形態によれば、循環路４に送出された炭酸ガスがマイクロバブル発生装置２によりマイクロバブル化されて炭酸ガスのマイクロバブルを得ることができる。
本実施の形態によれば、従来のボンベに充填された炭酸ガスとマイクロバブル発生装置とを用いた炭酸ガスのマイクロバブル発生装置に比較して、軽量で小型の装置でよく、設置面積も少なくて済むばかりか、重量のあるボンベの交換も不要で高圧に耐える設備も要さない。特に、本実施の形態によれば安価で安全な薬剤を使用することから炭酸ガスボンベを用いる場合に比べて維持費に著しい差異があり、業務用にも適している。
【００２７】
尚、本実施の形態では、炭酸ガスを発生させる薬剤としてクエン酸と重炭酸ナトリウムを用いたため、取り扱いに際してもきわめて安全であり、誤って循環水に混入したとしても問題なく、また、きわめて安価に且つ容易に入手できる。
【００２８】
また、マイクロバブル発生装置２についても本実施の形態に限るものでなく、他の形式のマイクロバブル発生装置を用いても同様に実施することができることはいうまでもない。
【図面の簡単な説明】
【００２９】
【図１】本考案における好ましい実施の形態の概略説明図。
【図２】図１の一部を拡大した概略説明図。
【符号の説明】
【００３０】
１  炭酸ガスのマイクロバブル発生装置、２  マイクロバブル発生装置、３  炭酸ガス発生装置、 ６  加圧装置、８  クエン酸溶液、９  重炭酸ナトリウム溶液、３１  第１タンク、３２  第２タンク、５１  第１送出管、５２  第２送出管、５３  第３送出管、５４  炭酸ガスの送出口、７１  第１開閉弁、７２  第２開閉弁、７３  第３開閉弁
【図１】
0003141541.tif 000003
【図２】
0003141541.tif 000004